(57)【要約】【課題】部品点数を削減し、使い勝手の良いものを得る。【解決手段】入力表示部４を有する機器本体１に着脱可能に収納される入力ペン６と、外部機器のジャック１２が挿入口１５から挿脱可能に挿入するジャック接続部材７とを備えた携帯情報端末機において、ジャック接続部材７を機器本体１に対し出没可能に取り付け、携帯時にジャック接続部材７および入力ペン６を機器本体１に収納してペン先９をジャック接続部材７の挿入口１５に挿入させる。従って、携帯時にジャック接続部材７の挿入口１から塵埃の侵入を防いでペン先９を保護できるので、部品点数を削減できる。また、入力ペン６を使用するときには機器本体１から取り外すだけで良く、またジャック接続部材７を使用するときにはペン先９をジャック接続部材７の挿入口１５から離脱させてジャック接続部材７を機器本体１から突出させれば良いので、使い勝手が良い。【選択図】        図３
2004206182.tif 000002
【特許請求の範囲】
【請求項１】
ペン入力部を有する機器本体と、この機器本体に着脱可能に収納される入力ペンと、前記機器本体に設けられ、且つ外部機器のジャックが挿入口から挿脱可能に挿入して電気的に接続されるジャック接続部材とを備えた電子機器において、前記ジャック接続部材は、前記機器本体に出没可能に設けられ、且つ前記機器本体に収納された状態のときに、前記機器本体に収納された前記入力ペンのペン先が前記挿入口に挿入することを特徴とする電子機器。
【請求項２】
前記ジャック接続部材は、前記機器本体にその出没方向に向けて回動可能に取り付けられていることを特徴とする請求項１に記載の電子機器。
【請求項３】
前記ジャック接続部材は、前記機器本体に収納された状態で前記入力ペンの長手方向に沿ってスライド可能で、且つ前記入力ペンの前記ペン先から離れる方向にスライドして離脱した状態のときに、前記機器本体の出没方向に向けて回動可能な状態となるように前記機器本体に取り付けられていることを特徴とする請求項１に記載の電子機器。
【請求項４】
前記機器本体に前記ジャック接続部材が収納された状態のときに、前記ジャック接続部材を前記機器本体に対して係脱可能に係止する係止部を備えていることを特徴とする請求項１〜３のいずれかに記載の電子機器。
【請求項５】
前記ジャック接続部材を前記機器本体の外部に向けて付勢する弾性部材を備えていることを特徴とする請求項３または４に記載の電子機器。
【請求項６】
前記入力ペンには係止凹部が設けられ、前記機器本体には前記入力ペンの前記係止凹部に係脱可能に係合する係合凸部が設けられていることを特徴とする請求項３〜５のいずれかに記載の電子機器。
【発明の詳細な説明】
【０００１】
【発明の属する技術分野】
この発明は、携帯情報端末機などの電子機器に関する。
【０００２】
【従来の技術】
従来、携帯情報端末機においては、入力ペンで入力画面を操作してデータ入力などを行うと共に、接続ケーブルによって他の外部機器と電気的に接続した状態でデータの授受を行うようにしたものがある（例えば、特許文献１参照。）。
【０００３】
【特許文献１】
特開２００１−２２５０９（Ｐ２００１−２２５０９Ａ）
【０００４】
この種の携帯情報端末機は、携帯時に入力ペンのペン先を係止して保護するために、機器本体の側面に入力ペンのペン先を係止するペン先係止部としての蓋体を開閉可能に設けると共に、機器本体内にモジュラージャックを蓋体に対応させて設け、携帯するときに入力ペンを機器本体の側面に装着して蓋体を閉じることにより、この蓋体で入力ペンのペン先を保護すると共にモジュラージャックを塞いで塵埃の侵入を防ぐように構成されている。
【０００５】
【発明が解決しようとする課題】
しかしながら、このような携帯情報端末機では、機器本体に蓋体を開閉可能に設けているので、携帯時に入力ペンのペン先を保護すると共にモジュラージャックを塞いで塵埃の侵入を防ぐことはできても、ペン先やモジュラージャックなどの保護部品として蓋体が必要であるため、その分、部品点数が多くなり、組み立て作業も煩雑になるばかりか、入力ペンだけを使用するとき、またはモジュラージャックのみを使用するときでも、必ず蓋体を開閉しなければならず、その開閉操作が面倒で、使い勝手が悪いなどの問題がある。特に、モジュラージャックのみを使用するには、蓋体を開いて入力ペンを取り外さなければ、モジュラージャックにモジュラーケーブルを接続することができないばかりか、取り外した入力ペンの保管に困るという問題がある。
【０００６】
この発明の課題は、蓋体などの保護部品が不要で、部品点数の削減を図り、且つ使い勝手の良いものを得ることである。
【０００７】
【課題を解決するための手段】
この発明は、上記課題を解決するために、次のような構成要素を備えている。なお、各構成要素には、後述する各実施形態の項で説明される各要素に付されている図面の参照番号などを括弧と共に付す。
請求項１に記載の発明は、図１〜図１４に示すように、ペン入力部（入力表示部４）を有する機器本体（１）と、この機器本体に着脱可能に収納される入力ペン（６）と、前記機器本体に設けられ、且つ外部機器のジャック（１２）が挿入口（１５）から挿脱可能に挿入して電気的に接続されるジャック接続部材（７、２５）とを備えた電子機器において、前記ジャック接続部材（７、２５）は、前記機器本体（１）に出没可能に設けられ、且つ前記機器本体に収納された状態のときに、前記機器本体に収納された前記入力ペン（６）のペン先（９）が前記挿入口（１５）に挿入することを特徴とする電子機器である。
【０００８】
この発明によれば、携帯するときにジャック接続部材を機器本体に没入させて収納し、この状態で入力ペンを機器本体に収納し、且つそのペン先をジャック接続部材の挿入口に挿入させることにより、ジャック接続部材の挿入口を塞いで塵埃の侵入を防ぐと共に入力ペンのペン先を保護することができ、これにより先行文献のような蓋体などの保護部品が不要となり、部品点数の削減を図ることができる。また、入力ペンのみを使用するときには、入力ペンを機器本体から取り外すだけで良いので、使い勝手が良い。また、ジャック接続部材を使用するときには、入力ペンのペン先をジャック接続部材の挿入口から相対的に離脱させ、この状態でジャック接続部材を機器本体から突出させれば良いので、操作性が良く、しかもジャック接続部材に外部機器のジャックを接続した状態でも入力ペンを機器本体に装着することができるので、入力ペンの保管に困ることがなく、これによっても使い勝手が良い。
【０００９】
請求項２に記載の発明は、図１〜図６に示すように、前記ジャック接続部材（７）が、前記機器本体（１）にその出没方向に向けて回動可能に取り付けられていることを特徴とする請求項１に記載の電子機器である。
この発明によれば、請求項１に記載の発明と同様の効果があるほか、特に携帯するときにジャック接続部材を回動させるだけで、ジャック接続部材を容易に機器本体内に没入させて収納することができ、これによりコンパクトに携帯することができる。また、使用するときに入力ペンのペン先をジャック接続部材の挿入口から離脱させた状態で、ジャック接続部材を回動させるだけで、機器本体の外部に突出させることができ、このためジャック接続部材に対する外部機器のジャックの接続作業が容易にでき、より一層、使い勝手の良いものを得ることができる。
【００１０】
請求項３に記載の発明は、図７〜図１４に示すように、前記ジャック接続部材（２５）が、前記機器本体（１）に収納された状態で前記入力ペン（６）の長手方向に沿ってスライド可能で、且つ前記入力ペンの前記ペン先（９）から離れる方向にスライドして離脱した状態のときに、前記機器本体の出没方向に向けて回動可能な状態となるように前記機器本体に取り付けられていることを特徴とする請求項１に記載の電子機器である。
【００１１】
この発明によれば、使用するときにジャック接続部材を入力ペンの長手方向に沿ってスライドさせることにより、機器本体に収納された入力ペンのペン先からジャック接続部材の挿入口を離脱させることができるので、入力ペンを機器本体に収納した状態でも、ジャック接続部材を回動させて機器本体の外部に突出させることができ、このため請求項２に記載の発明のものよりも、使い勝手が良い。また、携帯するときには、機器本体に入力ペンを収納した状態でも、ジャック接続部材を回動させて機器本体に収納することができ、この状態でジャック接続部材をスライドさせてジャック接続部材の挿入口に入力ペンのペン先を挿入させることができるので、容易に且つ確実に機器本体にジャック接続部材および入力ペンを収納して保護することができ、これによっても使い勝手の良いものを得ることができる。
【００１２】
請求項４に記載の発明は、図１〜図１４に示すように、前記機器本体（１）に前記ジャック接続部材（７、２５）が収納された状態のときに、前記ジャック接続部材を前記機器本体に対して係脱可能に係止する係止部（フック部２１、係止凹部３１）を備えていることを特徴とする請求項１〜３のいずれかに記載の電子機器である。
この発明によれば、ジャック接続部材が機器本体に収納された状態のときに、係止部がジャック接続部材を機器本体に対して係止するので、ジャック接続部材が機器本体の外部に勝手に突出することがない。このため、携帯時においても、また入力ペンの使用時においても、ジャック接続部材が機器本体の外部に突出して邪魔にならないようにすることができ、これによっても使い勝手の良いものを得ることができる。
【００１３】
請求項５に記載の発明は、図７〜図１４に示すように、前記ジャック接続部材（２５）を前記機器本体（１）の外部に向けて付勢する弾性部材（３３）を備えていることを特徴とする請求項３または４に記載の電子機器である。
この発明によれば、入力ペンのペン先をジャック接続部材の挿入口から離脱させると、弾性部材によってジャック接続部材の一部を機器本体の外部に押し出すことができ、これにより押し出された部分に指や手などを引っ掛けて容易にジャック接続部材を機器本体の外部に突出させることができるので、これによっても使い勝手の良いものを得ることができる。
【００１４】
請求項６に記載の発明は、図１１および図１２に示すように、前記入力ペン（６）に係止凹部（係止溝３４）が設けられ、前記機器本体（１）に、前記入力ペンの前記係止凹部に係脱可能に係合する係合凸部（係合突起３５）が設けられていることを特徴とする請求項３〜５のいずれかに記載の電子機器である。
この発明によれば、機器本体に入力ペンを収納すると、入力ペンの係止凹部に機器本体の係合凸部が係合し、これにより入力ペンを機器本体に対して固定することができ、このためジャック接続部材をスライドさせてその挿入口を入力ペンのペン先に挿入させるときに、入力ペンが動かないため、そのペン先にジャック接続部材の挿入口を確実に挿入させることができる。
【００１５】
【発明の実施の形態】
［第１実施形態］
以下、図１〜図５を参照して、この発明を携帯情報端末機に適用した第１実施形態について説明する。
図１はこの発明の携帯情報端末機の正面図、図２はその右側面図、図３はその使用時における正面図である。
【００１６】
この携帯情報端末機は、機器本体を備えている。この機器本体１は合成樹脂製の上ケース２と合成樹脂製の下ケース３とを接合した構造になっている。この機器本体１の正面、つまり上ケース２の上面には、図１および図３に示すように、入力表示部４およびキー入力部５が設けられており、機器本体１の側面には、図１および図２に示すように、入力ペン６およびジャック接続部材７を収納する収納凹部８が設けられている。この収納凹部８は、入力ペン６の収納部分とジャック接続部材７の収納部分とを有し、これらが機器本体１の側面側に開放され、且つ機器本体１の側面に沿って連続して設けられた構成になっている。
【００１７】
入力表示部４は、情報を電気光学的に表示する液晶表示パネルの上面にペン入力部である透明なタッチパネルを設けた入力画面であり、液晶表示パネルに表示された情報が透明なタッチパネルを通して見えると共に、この状態で透明なタッチパネルに入力ペン６のペン先９を接触また接触移動させることにより、そのペン先９の接触状態に応じたデータが入力されるように構成されている。この入力表示部４は、図１および図３に示すように、機器本体１の正面における上辺側に配置されている。
【００１８】
また、キー入力部５は、図１および図３に示すように、文字キー、モード切替キー、ファンクションキーなどの各種のキーを備え、これらのキーを適宜操作することにより、データ入力を行うと共にモードが切り替えられるように構成されている。このキー入力部５は、機器本体１の正面における入力表示部４の下辺側に配置されている。
【００１９】
一方、入力ペン６は、図３に示すように、通常のペンとほぼ同じ形状で、その一端部にペン先９が設けられ、他端部にフック１０が設けられ、図１に示すように、機器本体１の側面に設けられた収納凹部８内に機器本体１の上端側から着脱可能に挿入されて収納されるように構成されている。この場合、ペン先９は、エラストマなどの弾性材料からなり、絶縁性が確保され、且つ入力表示部４のタッチパネルに対する入力操作性をも確保した構成になっている。
【００２０】
また、ジャック接続部材７は、図１、図３および図４に示すように、入力ペン６の収納部分に連続する機器本体１の収納凹部８内に回動可能に取り付けられ、図３に示すように、他の外部機器（図示せず）に接続された接続ケーブル１１のジャック１２が挿脱可能に挿入することにより、このジャック１２および接続ケーブル１１を介して機器本体１と他の外部機器とを電気的に接続するように構成されている。
【００２１】
すなわち、このジャック接続部材７は、図４に示すように、ほぼ筒状に形成された本体部１３を備え、この本体部１３の内部にジャック１２が挿脱自在に挿入する挿入穴１４が設けられ、図１および図２に示すように、機器本体１の収納凹部８内に収納された状態で、挿入穴１４の挿入口１５に入力ペン６のペン先９が挿脱可能に差し込まれるように構成されている。また、このジャック接続部材７は、図１および図３に示すように、一端部（同図では下端部）が半円弧状に形成され、この半円弧状の一端部が機器本体１の収納凹部８内に配置された状態で、図４に示すように機器本体１の上ケース２に設けられた支持軸１６によって回動可能に取り付けられている。
【００２２】
この場合、ジャック接続部材７は、その本体部１３の上下面に軸受部１７がそれぞれ設けられ、この上下の各軸受部１７に支持軸１６が本体部１３を通して挿入され、これにより支持軸１６を中心に機器本体１の収納凹部８の出没方向に向けて回動するように構成されている。すなわち、このジャック接続部材７は、図３において支持軸１６を中心に反時計回りに回動すると、図１に示すように本体部１３が機器本体１の収納凹部８内に収納され、また図１において支持軸１６を中心に時計回りにほぼ９０°回動すると、図３に示すように本体部１３の挿入口１５側が機器本体１の収納凹部８から機器本体１の外部に突出し、この状態で外部機器のジャック１２が本体部１３の挿入穴１４に挿脱可能に挿入されるように構成されている。
【００２３】
また、このジャック接続部材７は、図４に示すように、その挿入穴１４内に設けられた接続端子部１８と機器本体１内の回路基板１９とがフレキシブル配線基板２０によって電気的に接続されている。さらに、このジャック接続部材７の挿入口１５側における本体部１３の上下面には、図５に示すように、弾性変形可能なフック部２１が上下方向に突出して設けられている。このフック部２１は、ジャック接続部材７の本体部１３が機器本体１の収納凹部８内に収納されたときに、機器本体１の側壁の内面に当接して係止され、収納凹部８からジャック接続部材７の本体部１３が押し出されるとき、または収納凹部８内にジャック接続部材７の本体部１３が押し込まれるときに、本体部１３の内部に向けて弾性変形することにより、機器本体１の側壁を乗り越えるように構成されている。
【００２４】
次に、このような携帯情報端末機の作用について説明する。
まず、この携帯情報端末機を携帯する場合には、図１および図２に示すように、ジャック接続部材７の回動中心である支持軸１６を中心にジャック接続部材７の本体部１３を図３において反時計回りに回動させて機器本体１の収納凹部８内に収納する。すると、ジャック接続部材７の本体部１３がその挿入口１５を入力ペン６の収納側に向けて収納される。このときには、ジャック接続部材７のフック部２１が弾性変形して機器本体１の側壁を乗り越え、この乗り越えたフック部２１が機器本体１の側壁の内面に当接して係止される。この状態で、入力ペン６を機器本体１の収納凹部８内に機器本体１の上端側から挿入させて収納する。すると、入力ペン６のペン先９がジャック接続部材７の本体部１３の挿入口１５に挿入し、本体部１３の挿入穴１４を塞ぐ。これにより、入力ペン６およびジャック接続部材７が機器本体１の収納凹部８内に収納されるので、機器全体がコンパクトになり、良好に携帯することができる。
【００２５】
また、入力ペン６を使用するときには、図１に示すように、ジャック接続部材７を回動操作することなく、機器本体１の収納凹部８内に収納した状態で、入力ペン６を機器本体１の上端側に向けてそのままスライドさせることにより、入力ペン６を機器本体１の収納凹部８から容易に取り外することができる。これにより、取り外した入力ペン６で入力表示部４のタッチパネルを入力操作することができる。このときには、ジャック接続部材７のフック部２１が機器本体１の側壁の内面に係止されているので、ジャック接続部材７の本体部１３が機器本体１の収納凹部８内から勝手に機器本体１の外部に向けて突出することがない。このため、入力ペン６を使用するときに、ジャック接続部材７が機器本体１から突出して邪魔になることがなく、良好に入力操作をすることができる。
【００２６】
また、ジャック接続部材７を使用するときには、まず、図１および図２に示すように、収納凹部８内に収納された入力ペン６を機器本体１の上端側に向けて少しスライドさせ、ペン先９をジャック接続部材７の挿入口１５から離脱させる。この状態で、ジャック接続部材７のフック部２１による弾性係止力に抗して、ジャック接続部材７の本体部１３をその支持軸１６を中心に図１において時計回りにほぼ９０°回動させる。このときには、フック部２１が弾性変形して機器本体１の側壁を乗り越え、図３に示すように機器本体１の外部に移動すると共に、ジャック接続部材７の挿入口１５側が図３に示すように機器本体１の外部に突出する。これにより、突出したジャック接続部材７の挿入穴１４内に外部機器のジャック１２を容易に差し込むことができ、機器本体１と外部機器とを電気的に接続することができるので、機器本体１と外部機器との間でデータの授受を行うことができる。
【００２７】
このように、この携帯情報端末機によれば、携帯するときに機器本体１の収納凹部８内にジャック接続部材７を収納すると共に入力ペン６を収納し、この入力ペン６のペン先９をジャック接続部材７の挿入口１５に挿入させることにより、ジャック接続部材７の挿入口１５を塞いで塵埃の侵入を防ぐと共に、入力ペン６のペン先９を保護することができ、これにより安全に且つ良好に携帯することができるほか、特に先行文献のような蓋体などの保護部品が不要となるので、部品点数の削減を図ることができると共に、組み立て作業の簡素化をも図ることができ、これにより機器の低コストを図ることもできる。
【００２８】
また、この携帯情報端末機によれば、入力ペン６のみを使用するときに、入力ペン６を機器本体１の収納凹部８から取り外すだけで良いので、使い勝手が良い。また、ジャック接続部材７を使用するときには、入力ペン６を収納凹部８に収納した状態で少しスライドさせるだけで、入力ペン６のペン先９をジャック接続部材７の挿入口１５から離脱させることができ、この状態でジャック接続部材７を機器本体１から突出させれば良いので、ジャック接続部材７の操作性が良い。このときには、ジャック接続部材７に外部機器のジャック１２を接続した状態でも、入力ペン６を機器本体１の収納凹部８に装着しておくことができるので、入力ペン６の保管に困ることがなく、これによっても使い勝手が良い。
【００２９】
さらに、この携帯情報端末機によれば、ジャック接続部材７が機器本体１の収納凹部８内に収納された状態のときに、ジャック接続部材７のフック部２１が機器本体１の側壁に当接して係止されるので、ジャック接続部材７を機器本体１に対して固定することができる。このため、ジャック接続部材７が機器本体１の外部に勝手に突出することがないので、携帯時においても、また入力ペン６の使用時においても、ジャック接続部材７が機器本体１の外部に突出して邪魔になることがなく、より一層、使い勝手の良いものを得ることができる。
【００３０】
なお、上記第１実施形態では、ジャック接続部材７の接続端子部１８と機器本体１内の回路基板１９とをフレキシブル配線基板２０によって電気的に接続した構成について述べたが、これに限らず、例えば図６に示す変形例のように、ジャック接続部材７の接続端子部１８に接点ばね２２を電気的に接続した状態で取り付け、この接点ばね２２をジャック接続部材７から機器本体１内の回路基板１９の下面に向けて延設することにより、ジャック接続部材７の接続端子部１８と機器本体１内の回路基板１９とを接点ばね２２によって電気的に接続するように構成しても良い。
【００３１】
この場合には、ジャック接続部材７から延設された接点ばね２２の先端部に接点部２３を設け、この接点部２３を回路基板１９の下面に接触させ、この状態でジャック接続部材７の回動動作に応じて接点ばね２２が回動するときに、接点部２３が回路基板１９の下面を摺動し、ジャック接続部材７の挿入口１５側が機器本体１の外部に突出したときに、接点ばね２２の接点部２３が回路基板１９の下面に設けられた接点電極（図示せず）に接離可能に接触するように構成すれば良い。このように構成しても、ジャック接続部材７の接続端子部１８と機器本体１内の回路基板１９とを接点ばね２２によって電気的に接続することができるので、第１実施形態とほぼ同様の作用効果がある。
【００３２】
［第２実施形態］
次に、図７〜図１４を参照して、この発明を携帯情報端末機に適用した第２実施形態について説明する。なお、図１〜図５に示された第１実施形態と同一部分には同一符号を付して説明する。
この携帯情報端末機は、ジャック接続部材２５が第１実施形態と異なる構造で、これ以外は第１実施形態とほぼ同じ構造になっている。すなわち、このジャック接続部材２５は、機器本体１の収納凹部８内に収納された状態で入力ペン６の長手方向に沿ってスライド可能で、且つ機器本体１の収納凹部８に対する出没方向に向けて回動するように構成されている。
【００３３】
この場合、機器本体１の収納凹部８内における上下面、つまり収納凹部８内に収納された入力ペン６のペン先９側に位置する個所の上ケース２と下ケース３との対向面には、図７、図９および図１３に示すように、一対のガイド部材２６が互いに対向して設けられている。これら一対のガイド部材２６は、機器本体１の収納凹部８に収納された入力ペン６の長手方向に沿って細長い溝状に形成されている。また、ジャック接続部材２５は、第１実施形態と同様、他の外部機器（図示せず）に接続された接続ケーブル１１のジャック１２が挿脱可能に挿入することにより、ジャック１２および接続ケーブル１１を介して機器本体１と他の外部機器とを電気的に接続するように構成されている。
【００３４】
すなわち、このジャック接続部材２５は、ほぼ筒状に形成された本体部２７を備え、この本体部２７の内部にジャック１２が挿入口１５から挿脱自在に挿入する挿入穴１４が設けられ、図７に示すように機器本体１の収納凹部８内に収納された状態で、挿入穴１４の挿入口１５に入力ペン６のペン先９が挿脱可能に差し込まれるように構成されている。また、このジャック接続部材２５は、図７および図９に示すように、挿入口１５と反対側の端部が半円弧状に形成されており、このジャック接続部材２５の本体部２７の上下面には、図１１および図１３に示すように、一対のガイド部材２６内をスライド可能に移動する第１、第２ガイド軸２８、２９がそれぞれ設けられている。
【００３５】
この場合、第１ガイド軸２８は、本体部２７における挿入口１５と反対側に位置する半円弧状の端部のほぼ中心部分に位置する上下面に設けられ、上下一対のガイド部材２６内に挿入され、この状態で一対のガイド部材２６内をそれぞれスライドすると共に、ジャック接続部材７の本体部２７の回動中心となるように構成されている。また、第２ガイド軸２９は、本体部２７における挿入口１５側に位置する上下面に設けられ、ジャック接続部材２５の本体部２７が図９に示すように入力ペン６のペン先９から離れる方向にスライドしてペン先９が本体部２７の挿入口１５から離脱したときに、一対のガイド部材２６におけるペン先９側に設けられた各切欠き部３０に対応し、これら切欠き部３０を挿通してガイド部材２６の内部から外部に離脱するように構成されている。
【００３６】
また、このジャック接続部材２５の挿入口１５側の端部には、図１１および図１３に示すように、ジャック接続部材２５の本体部２７が機器本体１の収納凹部８に収納されて入力ペン６側に向けてスライドし、入力ペン６のペン先９が本体部２７の挿入口１５に挿入した状態のときに、機器本体１の側壁に係脱自在に係止される係止凹部３１が設けられている。さらに、このジャック接続部材２５の外側面、つまり収納凹部８に収納された状態で外部に露呈する外面には、図８および図１０に示すように、ジャック接続部材２５をスライドさせるときに指などの滑りを防ぐための滑止め部３２が設けられている。
【００３７】
一方、この機器本体１には、図１１および図１２に示すように、ジャック接続部材２５を収納凹部８内から押し出す方向に付勢する弾性部材３３が設けられている。この弾性部材３３は、収納凹部８内に出没する方向に弾性変形するように構成されている。また、入力ペン６の先端側における外周面には、図１１および図１２に示すように、リング状の係止溝３４が形成されており、機器本体１の収納凹部８の内面には、収納された入力ペン６の係止溝３４に係脱可能に係合する係合突起３５が設けられている。なお、このジャック接続部材２５も、図４に示したフレキシブル配線基板２０によってジャック接続部材２５の接続端子部１８と機器本体１内の回路基板１９とが電気的に接続されている。
【００３８】
次に、このような携帯情報端末機の作用について説明する。
まず、この携帯情報端末機を携帯する場合には、図７および図８に示すように、機器本体１の収納凹部８内に入力ペン６およびジャック接続部材２５の本体部２７を収納する。このときには、入力ペン６を機器本体１の上端部側から挿入し、この入力ペン６の先端側に設けられた係止溝３４を収納凹部８の内面に設けられた係合突起３５に係合させ、この状態で入力ペン６が収納凹部８内に収納される。また、ジャック接続部材２５は、その本体部２７の第１、第２ガイド軸２８、２９を機器本体１の一対のガイド部材２６内に挿入させて、本体部２７を収納凹部８内に収納する。
【００３９】
この状態で、ジャック接続部材２５の本体部２７を入力ペン６に向けてスライドさせ、ジャック接続部材２５の挿入口１５に入力ペン６のペン先９を挿入させる。このときには、入力ペン６の係止溝３４に収納凹部８の係合突起３５が係合しているので、入力ペン６のペン先９がジャック接続部材２５の本体部２７の挿入口１５に挿入するときに、入力ペン６が押し出されることなく、確実にペン先９を本体部２７の挿入口１５に挿入させることができる。これにより、入力ペン６のペン先９を保護すると共にジャック接続部材２５の挿入穴１４に塵埃の侵入を防ぐことができ、この状態で安全に且つ良好に携帯することができる。
【００４０】
このように携帯するときには、図７、図８、および図１３に示すように、ジャック接続部材２５の本体部２７に設けられた係止凹部３１が機器本体１の側壁に係止されるので、ジャック接続部材２５の本体部２７が弾性部材３３によって機器本体１の収納凹部８内から押し出される方向に付勢されていても、ジャック接続部材２５の本体部２７が機器本体１から押し出されるがことなく、ジャック接続部材２５の本体部２７を収納凹部８内に確実に収納することができる。これにより、入力ペン６およびジャック接続部材２５が機器本体１の収納凹部８内に確実に収納されるので、機器全体がコンパクトになり、良好に携帯することができる。
【００４１】
また、入力ペン６を使用するときには、図７および図８に示す状態で、入力ペン６を機器本体１の上端側に向けてスライドさせる。このときには、入力ペン６の係止溝３４に収納凹部８の係合突起３５が係合しているので、その係合力に抗して入力ペン６を収納凹部８内から抜き出させば良い。これにより、入力ペン６を機器本体１の収納凹部８から容易に取り外することができる。このように入力ペン６を取り外した場合には、第１実施形態と同様、入力ペン６で入力表示部４のタッチパネルを入力操作することができる。このときにも、ジャック接続部材２５の本体部２７に設けられた係止凹部３１が機器本体１の側壁に係止されているので、ジャック接続部材２５が勝手に機器本体１の外部に向けて突出することがない。このため、入力ペン６のみを使用するときに、ジャック接続部材２５が機器本体１から突出して邪魔になることがなく、良好に入力操作ができる。
【００４２】
また、ジャック接続部材２５を使用するときには、収納凹部８内に入力ペン６を収納した状態で、ジャック接続部材２５の本体部２７に設けられた滑り止め部３１に指などを当て、この状態でジャック接続部材２５の本体部２７を入力ペン６のペン先９から離れる方向にスライドさせ、ペン先９からジャック接続部材２５の本体部２７の挿入口１５を離脱させる。このときには、本体部２７の第１、第２ガイド軸２８、２９が一対のガイド部材２６内に沿ってペン先９から離れる方向に移動し、図９、図１０および図１２に示すように、ジャック接続部材２５の本体部２７に設けられた係止凹部３１が機器本体１の側壁から離れるので、機器本体１に対するジャック接続部材２５の本体部２７の係止が解除される。
【００４３】
そして、ジャック接続部材２５の挿入口１５がペン先９から離脱すると、図９および図１２に示すように、第２ガイド軸２９が一対のガイド部材２６の各切欠き部３０に対応する。このときには、ジャック接続部材２５の本体部２７が機器本体１に設けられた弾性部材３３によって押し出される方向に付勢されているので、図１２および図１４に示すように、一対のガイド部材２６内に位置する第１ガイド軸２８を中心にジャック接続部材２５の本体部２７が図９において時計回りに回動すると共に、第２ガイド軸２９がガイド部材２６の各切欠き部３０を通してガイド部材２６の外側に押し出される。これにより、ジャック接続部材２５の本体部２７の挿入口１５側が機器本体１の収納凹部８内から外部に少し突出する。
【００４４】
この状態で、機器本体１から少し突出したジャック接続部材２５の本体部２７に指を掛けて、ジャック接続部材２５の本体部２７を収納凹部８内から引き出し、ジャック接続部材２５の本体部２７を第１ガイド軸２８を中心に図９において時計回りにほぼ９０°回動させると、図３に示した第１実施形態と同様、ジャック接続部材２５の本体部２７の挿入口１５側が機器本体１の外部に突出する。これにより、突出したジャック接続部材２５の本体部２７の挿入穴１４内に外部機器のジャック１２を容易に差し込むことができる。このため、第１実施形態と同様、機器本体１と外部機器とが電気的に接続されるので、機器本体１と外部機器との間でデータの授受ができ、これにより良好に使用することができる。
【００４５】
このように、この携帯情報端末機によれば、第１実施形態と同様の効果があるほか、特にジャック接続部材２５を使用するときに、入力ペン６を収納凹部８内に収納させた状態でも、ジャック接続部材２５を入力ペン６から離れる方向にスライドさせることにより、機器本体１の収納凹部８内に収納された入力ペン６のペン先９からジャック接続部材２５の本体部２７の挿入口１５を離脱させることができ、しかもこの状態でジャック接続部材２５の本体部２７を第１ガイド軸２８を中心に回動させて機器本体１の外部に突出させることができるので、第１実施形態のものよりも、使い勝手が良い。
【００４６】
また、携帯するときには、機器本体１の収納凹部８内に入力ペン６を収納した状態でも、ジャック接続部材２５の本体部２７を第１ガイド軸２８を中心に回動させて機器本体１の収納凹部８内に収納することができ、この状態でジャック接続部材２５の本体部２７をスライドさせてジャック接続部材２５の本体部２７の挿入口１５に入力ペン６のペン先９を挿入させることができるので、容易に且つ確実に機器本体１にジャック接続部材２５および入力ペン６を収納することができ、これによっても、第１実施形態のものよりも、使い勝手が良い。
【００４７】
また、この携帯情報端末機では、ジャック接続部材２５の本体部２７を機器本体１の外部に向けて付勢する弾性部材３３を備えているので、入力ペン６のペン先９からジャック接続部材２５の本体部２７の挿入口１５を離脱させると、弾性部材３３によってジャック接続部材２５の本体部２７の一部を機器本体１の外部に押し出すことができ、これにより押し出された部分に指や手を引っ掛けて容易にジャック接続部材２５の本体部２７を回動させて機器本体１の外部に突出させることができるので、第１実施形態のものよりも、より一層、操作性が良く、且つ使い勝手の良いものを得ることができる。
【００４８】
この場合にも、ジャック接続部材２５の本体部２７が機器本体１の収納凹部８内に収納された状態のときに、ジャック接続部材２５の係止凹部３１が機器本体１の側壁に当接して係止され、これによりジャック接続部材２５の本体部２７を機器本体１に対して係止することができるので、弾性部材３３によってジャック接続部材２５の本体部２７が機器本体１から押し出される方向に向けて付勢されていても、ジャック接続部材２５の本体部２７が機器本体１の外部に勝手に突出することがない。このため、携帯時においても、また入力ペン６の使用時においても、ジャック接続部材２５の本体部２７が機器本体１の外部に突出して邪魔になることがなく、これによっても使い勝手の良いものを得ることができる。
【００４９】
なお、上記第２実施形態においても、ジャック接続部材２５の接続端子部１８と機器本体１内の回路基板１９とをフレキシブル配線基板２０によって電気的に接続したが、これに限らず、例えば図６に示した第１実施形態の変形例のように、ジャック接続部材２５の接続端子部１８に接点ばね２２を電気的に接続した状態で取り付け、この接点ばね２２の接点部２３を回路基板１９の下面に接触させ、この状態でジャック接続部材７の回動動作に応じて接点部２３が回路基板１９の下面を摺動し、ジャック接続部材２５の挿入口１５側が機器本体１の外部に突出したときに、接点部２３が回路基板１９の下面に設けられた接点電極（図示せず）に接離可能に接触するように構成しても良い。
【００５０】
また、上記第１、第２実施形態およびその変形例では、携帯情報端末機に適用した場合について述べたが、これに限らず、電子辞書、電子手帳、ＰＤＡ（パーソナル・デジタル・アシスタント）、パーソナルコンピュータなどの電子機器、つまり入力ペンおよびジャック接続部を有する電子機器に広く適用することができる。
【００５１】
【発明の効果】
以上説明したように、この発明によれば、ペン入力部を有する機器本体と、この機器本体に着脱可能に収納される入力ペンと、機器本体に設けられて外部機器のジャックが挿入口から挿脱可能に挿入して電気的に接続されるジャック接続部材とを備えた電子機器において、携帯するときにジャック接続部材および入力ペンを機器本体に収納して入力ペンのペン先をジャック接続部材の挿入口に挿入させることにより、ジャック接続部材の挿入口を塞いで塵埃の侵入を防ぐと共に入力ペンのペン先を保護することができ、これにより保護部品が不要となり、部品点数の削減を図ることができると共に、組み立て作業の簡素化をも図ることができ、ひいては低コスト化を図ることができる。
【００５２】
また、この発明によれば、入力ペンを使用するときに、入力ペンを機器本体から取り外すだけで良いので、使い勝手が良く、またジャック接続部材を使用するときに、入力ペンのペン先をジャック接続部材の挿入口から離脱させた状態で、ジャック接続部材を機器本体から突出させれば良いので、操作性が良いばかりか、ジャック接続部材に外部機器のジャックを接続した状態でも、入力ペンを機器本体に装着できるので、入力ペンの保管に困ることがなく、これによっても使い勝手の良い。
【００５３】
この場合、ジャック接続部材が、機器本体にその出没方向に向けて回動可能に取り付けられていることにより、上記と同様の効果があるほか、特に携帯するときにジャック接続部材を回動させるだけで、ジャック接続部材を容易に機器本体内に没入させて収納することができ、これによりコンパクトに携帯することができ、また使用するときに入力ペンのペン先をジャック接続部材の挿入口から離脱させた状態で、ジャック接続部材を回動させるだけで、機器本体の外部に突出させることができ、このためジャック接続部材に対する外部機器のジャックの接続作業が容易にでき、より一層、使い勝手の良いものを得ることができる。
【００５４】
また、ジャック接続部材が、機器本体に収納された状態で入力ペンの長手方向に沿ってスライド可能で、且つペン先から離脱した状態のときに機器本体の出没方向に向けて回動可能な状態になるように、機器本体に取り付けられていることにより、使用するときにジャック接続部材を入力ペンの長手方向にスライドさせて、機器本体に収納された入力ペンのペン先からジャック接続部材の挿入口を離脱させることができるので、入力ペンを機器本体に収納した状態でも、ジャック接続部材を回動させて機器本体の外部に突出させることができる。このため、上記のものよりも、使い勝手が良く、また携帯するときには、機器本体に入力ペンを収納した状態でも、ジャック接続部材を回動させて機器本体に収納することができ、この状態でジャック接続部材をスライドさせてジャック接続部材の挿入口に入力ペンのペン先を挿入させることができるので、容易に且つ確実に機器本体にジャック接続部材および入力ペンを収納して保護することができる。
【００５５】
また、ジャック接続部材が機器本体に収納された状態のときに、ジャック接続部材を機器本体に対して係脱可能に係止する係止部を備えていることにより、ジャック接続部材が機器本体に収納された状態のときに、係止部がジャック接続部材を機器本体に対して係止するので、ジャック接続部材が機器本体の外部に勝手に突出することがなく、このため携帯時においても、また入力ペンの使用時においても、ジャック接続部材が機器本体の外部に突出して邪魔にならないようにすることができ、これによっても使い勝手の良いものを得ることができる。
【００５６】
また、ジャック接続部材を機器本体の外部に向けて付勢する弾性部材を備えていることにより、入力ペンのペン先をジャック接続部材の挿入口から離脱させると、弾性部材によってジャック接続部材の一部を機器本体の外部に押し出すことができ、これにより押し出された部分に指や手などを引っ掛けて容易にジャック接続部材を機器本体の外部に突出させることができるので、これによっても使い勝手の良いものを得ることができる。
【００５７】
この場合、入力ペンに係止凹部を設け、機器本体に、入力ペンの係止凹部に係脱可能に係合する係合凸部を設けていることにより、機器本体に入力ペンを収納すると、入力ペンの係止凹部に機器本体の係合凸部が係合して、入力ペンが機器本体に対し固定されるので、ジャック接続部材をスライドさせてその挿入口を入力ペンのペン先に挿入させるときに、入力ペンが動かないため、ペン先にジャック接続部材の挿入口を確実に挿入させることができる。
【図面の簡単な説明】
【図１】この発明を携帯情報端末機に適用した第１実施形態を示した正面図。
【図２】図１の右側面図。
【図３】図１の携帯情報端末機の使用時における正面図。
【図４】図３のＡ−Ａ矢視における要部の拡大断面図。
【図５】図１のＢ−Ｂ矢視における要部の拡大断面図。
【図６】ジャック接続部材と機器本体の回路基板とを電気的に接続する変形例を示した要部の拡大断面図。
【図７】この発明を携帯情報端末機に適用した第２実施形態を示した正面図。
【図８】図７の右側面図。
【図９】図７においてジャック接続部材をスライドさせて入力ペンのペン先から離脱させた状態を示した正面図。
【図１０】図９の右側面図。
【図１１】図７において要部を破断して示した拡大図。
【図１２】図９において要部を破断して示した拡大図。
【図１３】図７のＣ−Ｃ矢視における要部を示した拡大断面図。
【図１４】図９のＤ−Ｄ矢視における要部を示した拡大断面図。
【符号の説明】
１  機器本体
４  入力表示部
６  入力ペン
７、２５  ジャック接続部材
８  収納凹部
９  ペン先
１２  外部機器のジャック
１３、２７  本体部
１４  挿入穴
１５  挿入口
１６  支持軸
２１  フック部
２６  ガイド部材
２８  第１ガイド軸
２９  第２ガイド軸
３０  切欠き部
３１  係止凹部
３３  弾性部材
３４  係止溝
３５  係合突起
【図１】
2004206182.tif 000003
【図２】
2004206182.tif 000004
【図３】
2004206182.tif 000005
【図４】
2004206182.tif 000006
【図５】
2004206182.tif 000007
【図６】
2004206182.tif 000008
【図７】
2004206182.tif 000009
【図８】
2004206182.tif 000010
【図９】
2004206182.tif 000011
【図１０】
2004206182.tif 000012
【図１１】
2004206182.tif 000013
【図１２】
2004206182.tif 000014
【図１３】
2004206182.tif 000015
【図１４】
2004206182.tif 000016